(57)【要約】  空気調和機の室内機は、吹出し口から吹出される吹出し空気の風向きを上下方向に調整する上下風向板と、上下風向板に設けられ、上下風向板の案内面の上方を通過する吹出し空気を、下向きの流れにして案内面に沿って流れさせる風向ガイドとを備えている。風向ガイドは、上下風向板の右側端部または左側端部の上方領域であって、吹出し口から吹出し空気が吹出されない非吹出し領域に隣接して配置されている。
2019229879.tif 000002
【特許請求の範囲】
【請求項１】
吸込み口から室内空気を吸込み、熱交換器で冷媒と熱交換した後、吹出し口から室内へ吹出す空気調和機の室内機において、
前記吹出し口から吹出される吹出し空気の風向きを上下方向に調整する上下風向板と、
前記上下風向板に設けられ、前記上下風向板の案内面の上方を通過する前記吹出し空気を、下向きの流れにして前記案内面に沿って流れさせる風向ガイドとを備え、
前記風向ガイドは、前記上下風向板の右側端部または左側端部の上方領域であって、前記吹出し口から前記吹出し空気が吹出されない非吹出し領域に隣接して配置されている空気調和機の室内機。
【請求項２】
前記風向ガイドは、前記上下風向板の前記案内面から離間して配置される受風板を備え、前記受風板は、前記受風板の仮想延長面が前記上下風向板に交差する角度で配置されている請求項１記載の空気調和機の室内機。
【請求項３】
前記風向ガイドの前記受風板は、前記受風板の上流側端部が前記上下風向板の上流側端部よりも上流側に位置し、前記受風板の下流側端部が前記上下風向板と対向するように配置されている請求項２記載の空気調和機の室内機。
【請求項４】
前記風向ガイドは、前記受風板とともに前記上下風向板との間に独立した風路を形成しており、前記風路の流路断面が上流から下流に向かうに連れて小さくなっている請求項２または請求項３記載の空気調和機の室内機。
【発明の詳細な説明】
【技術分野】
【０００１】
この発明は、上下風向板を備えた空気調和機の室内機に関するものである。
【背景技術】
【０００２】
従来の空気調和機の室内機は、室内機本体の上面側に吸込み口が形成され、下面側に吹出し口が形成されており、吸込み口と吹出し口とを結ぶ送風路に、送風ファンと熱交換器とが配置された構成を有する。吹出し口には、動作角度を変更することで吹出し風の風向きを上下方向に調整する上下風向板が配置されている。そして、送風ファンから送られて熱交換器で熱交換された空気が、上下風向板で風向が調整されて、室内に吹出されるようになっている。【０００３】
この種の空気調和機の室内機において、上下風向板の左右両端部は、吹出し口から吹出される吹出し風の風量が少ない。このため、上下風向板で吹出し風を上方に偏向させている場合、上下風向板の下面側では、その下面に沿う流れが弱まるので、流れが弱まった部分においてその側方から室内空気を巻き込むことになる。よって、冷房運転時においては、上下風向板の左右端部における下面に結露が発生してしまう。【０００４】
そこで、従来、上下風向板が動作した際に上面である案内面の左右端部に、吹出し風を外側方へと案内する風向ガイドを設け、吹出し風をより外側に流すことで室内空気の巻込みを抑制し、冷房運転時の結露を防止するようにした技術がある（例えば特許文献１参照）。
【先行技術文献】
【特許文献】
【０００５】
【特許文献１】特開平０６−２８８６０５号公報
【発明の概要】
【発明が解決しようとする課題】
【０００６】
特許文献１では、上下風向板に風向ガイドを設けたことで結露を防止できるとしている。しかし、結露を防止できるのは、吹出し風の風速がある程度、確保されている箇所に限定される。上下風向板の動作角度によっては吹出し風の風速が遅いため、特許文献１の構造では室内空気の巻込みを抑制する効果が薄いという問題がある。【０００７】
特に、冷房運転時にてユーザーが上下風向板を下吹き方向の動作角度（以下、下吹き角度）に設定した場合は、吹出し風が上下風向板の案内面上で剥離しやすくなる。このため、上下風向板の案内面上の吹出し風の風速は著しく低下する。そして、案内面から剥離した流れは室内空気を巻込むため、上下風向板の案内面上での結露はより顕著になる。つまり、上記のように上下風向板の動作角度が下吹き角度であると、風向ガイドの効果が薄れてしまう問題がある。【０００８】
本発明は、上記のような課題を解決するためになされたもので、上下風向板の動作角度によらず、上下風向板の結露を防止することが可能な空気調和機の室内機を提供することを目的とする。
【課題を解決するための手段】
【０００９】
本発明に係る空気調和機の室内機は、吸込み口から室内空気を吸込み、熱交換器で冷媒と熱交換した後、吹出し口から室内へ吹出す空気調和機の室内機において、吹出し口から吹出される吹出し空気の風向きを上下方向に調整する上下風向板と、上下風向板に設けられ、上下風向板の案内面の上方を通過する吹出し空気を、下向きの流れにして案内面に沿って流れさせる風向ガイドとを備え、風向ガイドは、上下風向板の右側端部または左側端部の上方領域であって、吹出し口から吹出し空気が吹出されない非吹出し領域に隣接して配置されているものである。
【発明の効果】
【００１０】
本発明によれば、上下風向板の動作角度によらず、上下風向板の案内面に設けた風向ガイドによって吹出し口の端部の吹出し空気を上下風向板の案内面に沿って流すことができる。このため、非吹出し領域に向けて逆流した室内空気の逆流を押し出すことができ、上下風向板の結露を防止できる。
【図面の簡単な説明】
【００１１】
【図１】本発明の実施の形態１に係る空気調和機の室内機の外観図である。
【図２】本発明の実施の形態１に係る空気調和機の室内機の左右方向の中央部における内部構成説明図である。
【図３】図１において点線Ａで囲った部分の拡大図である。
【図４】図３において点線Ｂで囲った部分の拡大図である。
【図５】図３において点線Ｂで囲った部分を説明する図２に対応する図である。
【図６】図５において点線Ｃで囲った部分の拡大図である。
【図７】本発明の実施の形態１に係る空気調和機の室内機の風向ガイドの作用説明図で、室内空気が非吹出し領域に逆流する状態を示す図である。
【図８】本発明の実施の形態１に係る空気調和機の室内機の風向ガイドの作用説明図で、逆流した室内空気が風向ガイドからの吹出し空気によって風向ガイドの下流領域から押し出された状態を示す図である。
【図９】本発明の実施の形態１に係る室内機の風向ガイドの変形例を示す図である。
【図１０】図９の風向ガイドの作用説明図で、風向ガイドからの吹出し空気によって室内空気が押し返された状態を示す図である。
【発明を実施するための形態】
【００１２】
以下、本発明の空気調和機の室内機の具体的な実施の形態について、図面を参照しつつ詳細に説明する。
【００１３】
実施の形態１．
図１は、本発明の実施の形態１に係る空気調和機の室内機の外観図である。図２は、本発明の実施の形態１に係る空気調和機の室内機の左右方向の中央部における内部構成説明図である。
【００１４】
図１および図２で示されるように、空気調和機の室内機（以下、「室内機」と称する）は、室内機本体１と、意匠部品となる正面パネル２とを備えている。室内機本体１の上面には、室内機周囲の空気を室内機内部へ吸込むための吸込み口１ａが形成されている。また、室内機本体１の下部側には、室内機内部へ吸込んだ空気を室内機外部へ吹出すための吹出し口１ｂが形成されている。そして、室内機本体１は、吸込み口１ａから吹出し口１ｂへ通じる室内機風路を形成する前側吹出風路面１ｃおよび後側吹出風路面１ｄを備えている。
【００１５】
室内機本体１内には、熱交換器３と、ファン４とが配置されている。ファン４は、吸込み口１ａから室内空気７を取り込み、熱交換器３を通過させて吹出し口１ｂから空調空気を室内へ吹出すものである。ファン４は、クロスフローファンであり、クロスフローファンの回転軸線が室内機本体１の左右方向となるように室内機本体１内に水平に設置されている。熱交換器３は、ファン４によって生成される空気流中に配置されており、吸込み口１ａを通って室内機内部に吸込まれた空気と冷媒との熱交換を行い、空調空気を生成する。
【００１６】
また、室内機の吹出し口１ｂには、動作角度を変更することで、吹出し口１ｂから室内へ吹出される吹出し風の風向きを上下方向に調整する上下風向板５が備えられている。上下風向板５は、室内機の左右方向に延びる回動軸（図示せず）を中心に上下方向への自在な回動が可能となっている。具体的には、室内機本体１内の左右に取り付けられた駆動モータ（図示せず）が、上下風向板５の回動軸に接続されており、駆動モータが動作することにより、上下風向板５が上下方向へ自在に回動される。これにより、室内機内部で生成された空調空気を、上下方向へ自在に吹き分けることが可能となっている。
【００１７】
以上の構成により、室内機内部で生成された空調空気を、吹出し口１ｂから室内機外部へ吹出し、室内機が据付けされた室内の自在な空調を実現している。
【００１８】
図３は、図１において点線Ａで囲った部分の拡大図である。
室内機の内部右側には、電装部品を収容する電装品箱（図示せず）が配置されている。電装品箱の一部は、吹出し口１ｂの右側端部の奥側に臨んでおり、吹出し口１ｂを塞いでいる。このため、吹出し口１ｂの外観は左右非対称となっており、吹出し口１ｂの右側端部は、言い換えれば上下風向板５の右側端部の上方領域は、吹出しが行われないかまたは吹出しが行われても少しである非吹出し領域６となっている。よって、図３に示すように非吹出し領域６に室内空気７が逆流する。したがって、何ら対策を施さないと、冷房運転時において、吹出し口１ｂからの冷風で冷えた上下風向板５に、湿気を含んだ温度の高い室内空気７が触れることで、室内空気７が露点温度以下に冷やされ、上下風向板５の上面である案内面５ａに結露が発生する。
【００１９】
そこで、本実施の形態１では、このような結露を未然に回避するため、上下風向板５の案内面５ａに風向ガイド８を設けている。以下、風向ガイド８について説明する。
【００２０】
図４は、図３において点線Ｂで囲った部分の拡大図である。図５は、図３において点線Ｂで囲った部分を説明する図２に対応する図である。図６は、図５において点線Ｃで囲った部分の拡大図である。
風向ガイド８は、案内面５ａの上方を通過する吹出し空気９を、下向きの流れにして案内面５ａに沿って流れさせるものであり、非吹出し領域６に隣接して上下風向板５の案内面５ａ上に一体に形成されている。風向ガイド８は、案内面５ａから立設した左右一対のリブ８ａと、各リブ８ａの上面同士を繋ぐ受風板８ｂとを備えており、案内面５ａとの間に独立した風路８ｃを形成している。この風路８ｃは、流路断面が下流に向かうに連れて小さくなっている。
【００２１】
受風板８ｂは、図５および図６に示すように、案内面５ａから離間した位置で、案内面５ａに対向しており、受風板８ｂの上流側端部８ｂａが上下風向板５の上流側端部５ａａより上流側へ突出している。また、受風板８ｂの下流側端部は上下風向板５と対向している。そして、受風板８ｂは、受風板８ｂを下流側に延長した仮想延長面１０が上下風向板５に交差する角度で配置されている。具体的には、受風板８ｂは、仮想延長面１０が上下風向板５の上下端部を結ぶ仮想線１１に角度αで交差するようにしてリブ８ａ上に配置されている。
【００２２】
ここで、受風板８ｂの寸法の一例について説明する。上下風向板５の上部を流れる吹出し空気９を、効率的かつ十分に上下風向板５へ流すことを考慮して、図６に示した距離Ｌ１、Ｌ２およびＬ３を設定している。ここで、距離Ｌ１は、上流側端部５ａａにおける案内面５ａの接線２０に対して垂直な法線２１の方向の距離であって、上下風向板５の上流側端部５ａａと風向ガイド８との間の距離である。距離Ｌ２は、接線２０方向の距離であって、上下風向板５と風向ガイド８とがラップしている距離である。距離Ｌ３は接線２０方向の距離であって、風向ガイド８が上下風向板５の上流側端部５ａａより上流側へ飛び出している距離である。これら距離Ｌ１およびＬ２はそれぞれ、５ｍｍ〜１０ｍｍに設定している。
【００２３】
以下、風向ガイド８を設けた場合と設けなかった場合のそれぞれの空気の流れを説明し、風向ガイド８を設けたことによる結露回避効果について説明する。
【００２４】
図７は、本発明の実施の形態１に係る室内機の風向ガイドの作用説明図で、室内空気が非吹出し領域に逆流する状態を示す図である。図８は、本発明の実施の形態１に係る空気調和機の室内機の風向ガイドの作用説明図で、逆流した室内空気が風向ガイドからの吹出し空気によって風向ガイドの下流領域から押し出された状態を示す図である。
【００２５】
風向ガイド８を設けなかった場合、非吹出し領域６に室内空気７が逆流する。ここで、上下風向板５の動作角度を下吹き角度とした場合、吹出し空気９は上下風向板５の案内面５ａに沿って流れず、案内面５ａから剥離する。つまり、吹出し空気９は上下風向板５の案内面５ａから離れた上方を流れる。このように、吹出し空気９が案内面５ａから離れた上方を流れると、湿気を含んだ温度の高い室内空気７が吹出し空気９の下流の案内面５ａに触れつつ逆流する。案内面５ａのうち、吹出し空気９の下流の領域、言い換えれば非吹出し領域６付近は吹出し空気９によって冷却されている。このため、その冷やされた領域に室内空気７が触れることで結露が生じる。
【００２６】
一方、風向ガイド８を設けた場合、図５に示すように、風向ガイド８内の風路８ｃに流入した吹出し空気９が受風板８ｂの裏面に衝突し、案内面５ａに向かう方向の進路に変更される。これにより、吹出し空気９が案内面５ａに向かい、案内面５ａに沿う流れとなる。ここで、受風板８ｂは、上流側端部８ｂａが上下風向板５の上流側端部５ａａより上流側へ突出するように配置されている。このため、上下風向板５よりも上流の吹出し空気９が風向ガイド８内の風路８ｃ内に導かれ、より多くの吹出し空気９が案内面５ａ上に沿って流れるようになっている。
【００２７】
非吹出し領域６では、図７に示すように湿気を含んだ温度の高い室内空気７が吹出し口１ｂに逆流してくる。しかし、案内面５ａ上に沿って流れる吹出し空気９が、図８に示すように室内空気７を押し出す。ここで、風路８ｃは、流路断面が下流に向かうに連れて小さくなっているため、風速の上昇した吹出し空気９が案内面５ａ上に沿って流れる。これにより、室内空気７を吹出し空気９の下流の領域に流入させず、非吹出し領域６に押し出すことができる。したがって、従来発生していたような非吹出し領域６付近の案内面５ａにおける結露の発生を防止することができる。
【００２８】
以上の受風板８ｂの作用は、上下風向板５の動作角度が動作範囲内のどのような角度であっても発揮される作用である。このため、上下風向板５の動作角度が下向きで、吹出し空気９が上下風向板５の案内面５ａから剥離しやすい状況であっても、受風板８ｂにより、吹出し空気９を上下風向板５の案内面５ａ上に沿って流すことができる。したがって、上下風向板５の案内面５ａにおける結露の発生を防止することができる。つまり、上下風向板５がいかなる下吹き角度にて冷房運転していても、上下風向板５の案内面５ａにおける結露の発生を防止することができる。
【００２９】
以上の説明のように、本実施の形態１の室内機では、吹出し空気を下向きの流れにして上下風向板５の案内面５ａに沿って流れさせる風向ガイド８を、非吹出し領域６に隣接して配置した。これにより、上下風向板５の上流側端部５ａａの上部を流れる吹出し空気９を、案内面５ａに沿った連続的な流れとすることができ、非吹出し領域６に向けて逆流してきた、湿気を含んだ温度の高い室内空気７を押し出すことができる。これにより、従来発生していたような非吹き出し領域付近での空気の逆流および結露を防止できる。よって、上下風向板５がいかなる下吹き角度にて冷房運転していても、非吹き出し領域付近での空気の逆流および結露を防止できる。このように、上下風向板５の動作角度が制限されないため、上下風向板５の動作角度を任意の動作角度にすることができる。
【００３０】
また、風向ガイド８の受風板８ｂを、受風板８ｂの仮想延長面１０が上下風向板５に交差する角度で配置したので、吹出し空気を下向きの流れにして上下風向板５の案内面５ａに沿って流れさせることができる。
【００３１】
また、風向ガイド８の上流側端部８ｂａを、上下風向板５の上流側端部５ａａより上流側へ突出するように配置したので、上下風向板５の上流側端部５ａａの上部を流れる吹出し空気９をより多く上下風向板５の案内面５ａ上に沿って流すことができる。このため、より効果的に結露の発生を防止することができる。
【００３２】
また、風向ガイド８を、風路８ｃの流路断面が下流に向かうに連れて小さくなる構成としたので、下流に向けて風速を上げることができ、室内空気７の押し出し効果を高めることができる。
【００３３】
なお、室内空気７の逆流を抑制して結露を防止する方法として、吹出し口１ｂを狭めて吹出し空気９の風速を上げる方法も考えられる。しかし吹出し口１ｂを狭めることは、静圧回復に悪影響を与えることになり、送風機性能が悪化する。一方、本実施の形態１では吹出し口１ｂを狭めることなく、室内空気７の逆流を押し出すことができる。よって、本実施の形態１では、吹出し口１ｂを狭めて吹出し空気９の風速を上げる方法に比べて吹出し口１ｂを拡大することができ、静圧回復に割り当てることで送風機性能の改善を図ることができる。
【００３４】
また、本実施の形態１によれば、結露が生じないため、上下風向板５を任意の角度に保ったまま連続運転でき、下吹き性能の改善および快適性の改善を図ることができる。
【００３５】
なお、本実施の形態１では、非吹出し領域６を右側端部としたが左側端部としてもよい。また、本実施の形態１では、風路８ｃの流路断面が上流から下流に向かうに連れて小さくなる構成としたが、上流から下流に至るまで同じ流路断面としてもよい。この場合も、風向ガイド８からの吹出し空気９によって室内空気７の十分な押し出しを行うことができる。
【００３６】
本発明の室内機は、図１に示した構造に限定されるものではなく、本発明の要旨を逸脱しない範囲で例えば以下のように種々の変形例の実施が可能である。
【００３７】
図９は、本発明の実施の形態１に係る室内機の風向ガイドの変形例を示す図である。図１０は、図９の風向ガイドの作用説明図で、風向ガイドからの吹出し空気によって室内空気が押し返された状態を示す図である。
上記の風向ガイド８は、リブ８ａを左右に一対、備えていたが、リブ８ａは受風板８ｂを支持できればよく、この変形例では、リブ８ｄを１本としている。そして、リブ８ｄが中央部に位置するように、リブ８ｄの上面に受風板８ｂが設けられている。風向ガイド８をこのような構成としても、上記と同様の効果が得られる。
【符号の説明】
【００３８】
１  室内機本体、１ａ  吸込み口、１ｂ  吹出し口、１ｃ  前側吹出風路面、１ｄ  後側吹出風路面、２  正面パネル、３  熱交換器、４  ファン、５  上下風向板、５ａ  案内面、５ａａ  上流側端部、６  非吹出し領域、７  室内空気、８  風向ガイド、８ａ  リブ、８ｂ  受風板、８ｂａ  上流側端部、８ｃ  風路、８ｄ  リブ、９  吹出し空気、１０  仮想延長面、１１  仮想線、２０  接線、２１  法線。
【図１】
2019229879.tif 000003
【図２】
2019229879.tif 000004
【図３】
2019229879.tif 000005
【図４】
2019229879.tif 000006
【図５】
2019229879.tif 000007
【図６】
2019229879.tif 000008
【図７】
2019229879.tif 000009
【図８】
2019229879.tif 000010
【図９】
2019229879.tif 000011
【図１０】
2019229879.tif 000012
【手続補正書】
【提出日】令和2年9月29日(2020.9.29)
【手続補正１】
【補正対象書類名】明細書
【補正対象項目名】０００９
【補正方法】変更
【補正の内容】
【０００９】
本発明に係る空気調和機の室内機は、吸込み口から室内空気を吸込み、熱交換器で冷媒と熱交換した後、吹出し口から室内へ吹出す空気調和機の室内機において、吹出し口から吹出される吹出し空気の風向きを上下方向に調整する上下風向板と、上下風向板に設けられ、上下風向板の案内面の上方を通過する吹出し空気を、下向きの流れにして案内面に沿って流れさせる風向ガイドとを備え、吹出し口の右側端部または左側端部が塞がれて上下風向板の右側端部または左側端部の上方領域は、吹出し口から吹出し空気が吹出されない非吹出し領域となっており、風向ガイドは、非吹出し領域に隣接して配置されているものである。
【手続補正２】
【補正対象書類名】特許請求の範囲
【補正対象項目名】全文
【補正方法】変更
【補正の内容】
【特許請求の範囲】
【請求項１】
吸込み口から室内空気を吸込み、熱交換器で冷媒と熱交換した後、吹出し口から室内へ吹出す空気調和機の室内機において、
前記吹出し口から吹出される吹出し空気の風向きを上下方向に調整する上下風向板と、
前記上下風向板に設けられ、前記上下風向板の案内面の上方を通過する前記吹出し空気を、下向きの流れにして前記案内面に沿って流れさせる風向ガイドとを備え、
前記吹出し口の右側端部または左側端部が塞がれて前記上下風向板の右側端部または左側端部の上方領域は、前記吹出し口から前記吹出し空気が吹出されない非吹出し領域となっており、
前記風向ガイドは、前記非吹出し領域に隣接して配置されている空気調和機の室内機。
【請求項２】
前記風向ガイドは、前記上下風向板の前記案内面から離間して配置される受風板を備え、前記受風板は、前記受風板の仮想延長面が前記上下風向板に交差する角度で配置されている請求項１記載の空気調和機の室内機。
【請求項３】
前記風向ガイドの前記受風板は、前記受風板の上流側端部が前記上下風向板の上流側端部よりも上流側に位置し、前記受風板の下流側端部が前記上下風向板と対向するように配置されている請求項２記載の空気調和機の室内機。
【請求項４】
前記風向ガイドは、前記受風板とともに前記上下風向板との間に独立した風路を形成しており、前記風路の流路断面が上流から下流に向かうに連れて小さくなっている請求項２または請求項３記載の空気調和機の室内機。
【国際調査報告】
2019229879.tif 000013
2019229879.tif 000014
2019229879.tif 000015